(57)【要約】      （修正有）【課題】シールド材の固定が安定し、着脱が容易な低コストのフェイスシールドを提供する。【解決手段】フェイスシールド２は、眼鏡１を装着した着用者の顔面の目の高さ位置に沿う左右方向のフロントフレーム１ａの両端に突設されたテンプル１ｂに対して、左右両端を取付部３を介して着脱可能に取付けられ着用者の顔面を覆う弾力性を有する透明なプラスチック製シートよりなるシールド材４を備えたフェイスシールド２であって、取付部３にテンプル１ｂ側とシールド材４側の対向面間に対向面を重ね合せることにより互に固着される固着部材８を介設し、シールド材４を着脱可能に構成している。固着部材８は一対のマグネット又はマグネットと磁性体を各対向面に取付け固着し、磁力により着脱可能に構成した。【選択図】図１
0003231620.tif 000002
【実用新案登録請求の範囲】
【請求項１】
着用者の顔面の目の高さ位置に沿う左右方向のフロントフレーム（１ａ）の両端に突設されたテンプル（１ｂ）に対して、左右両端を取付部（３）を介して着脱可能に取付けられ着用者の顔面を覆う弾力性を有する透明なプラスチック製シートよりなるシールド材（４）を備えたフェイスシールドであって、上記取付部（３）にテンプル（１ｂ）側とシールド材（４）側の対向面間に対向面を重ね合せることにより互に固着される固着部材（８）を介設し、シールド材（４）を着脱可能に構成したフェイスシールド。
【請求項２】
固着部材（８）が一対のマグネット（８ａ），（８ｂ）又はマグネット（８ａ）と磁性体を各対向面に取付け固着し、磁力により着脱可能に構成した請求項１に記載のフェイスシールド。
【請求項３】
取付部（３）のテンプル（１ｂ）側とシールド材（４）側の対向面の少なくとも一方の面にマグネットを装着するとともに、磁力による吸着面をテンプル方向に沿った平面としてシールド材（４）の取付角度を調節可能に且つ当該角度を保持する請求項２に記載のフェイスシールド。
【請求項４】
取付部（３）にテンプル（１ｂ）に着脱可能に取付ける取付ベース（６）を設け、該取付ベース（６）とシールド材（４）との対向面にそれぞれ固着部材（８）を装着してなる請求項１〜３のいずれかに記載のフェイスシールド。
【請求項５】
取付ベース（６）に伸縮可能な部材よりなり係止索（７）を上下方向に張設し、取付ベース（６）の側面と係止索（７）との間にテンプル（１ｂ）を挿脱可能に挿入して取付ベース（６）をテンプル（１ｂ）に取付けてなる請求項４に記載のフェイスシールド。
【請求項６】
取付ベース（６）の長手方向の両側端に係止爪（５ａ）又は係止溝（５ｂ）からなる係止部（５）を設け、相対応する両側の係止部（５）間に係止索（７）を張設した請求項６に記載のフェイスシールド。
【請求項７】
取付ベース（６）の長手方向端部にマグネット（８ａ）を設け、長手方向の両側端に上下複数段の係止部（５）を設け、係止索（７）の係止位置を上下に選択変更可能に形成した請求項５又は６に記載のフェイスシールド。
【請求項８】
取付ベース（６）の側面に張設されテンプル（１ｂ）を挿通する係止索（７）の通しループ（７ｂ）が所定間隔を介して長手方向にクロスする方向に複数本張設される請求項５〜７のいずれかに記載のフェイスシールド。
【考案の詳細な説明】
【技術分野】
【０００１】
この考案は、人が着用することにより、着用者に対し又は近傍の他人に対して主として細菌やウイルスによる病気の飛沫による感染を防止するためのフェイスシールドに関する。
【背景技術】
【０００２】
近時ウイルスや細菌による病気の飛沫感染が問題視され、感染防止のための飛沫防止用のフェイスシールドとして、特許文献１，同２に示すものが公知である。
【０００３】
上記特許文献１，２のものは、顔面や口，鼻等の外部呼吸器部分を覆う透明なプラスチックフィルム製のシールド材の左右両端を、眼鏡のテンプルや帽子のスベリ部分に着脱可能に取付けるものである。
【先行技術文献】
【特許文献】
【０００４】
【特許文献１】実用新案登録第３２２７８３９号公報
【特許文献２】実用新案登録第３２２８０５５号公報
【考案の概要】
【考案が解決しようとする課題】
【０００５】
上記特許文献１に示されるフェイスシールドは、側面視横長の四角形の枠体（外側枠体）の内側面側にテンプルへの係止用フック（テンプル用アーム）を設け、枠体内に前方開放形のシールド材差込固定用の係止爪（フィルム用アーム）を設けたクリップ状の取付具を用いて、顔面を覆うシールド材を保持するものである。
【０００６】
しかし、この取付具は全体がプラスチック成形であるため枠体やフック，係止爪等の断面を一定太さにする必要があるとともに全体が大型化し、テンプルフレームに取付けた際に眼鏡自体の重量を増大させる等パットや耳に重量感を与えるほか、着用者の視界内に取付具が大きく入り込むので、違和感を生じる欠点がある。またシールド材の左右両端を凹凸に変形させながら係止爪に弾力的に挟み込むために、シールド材の後端が変形し、繰返し挿脱が困難になる他、構造も複雑化するため高コストとなる。
【０００７】
特許文献２のフェイスシールドは、左右のアーム部をループ状にしてテンプルに吊り下げ又はアーム部先端を帽子のスベリに係止して吊り下げることにより保持するので、顔の動きと共に前後揺動し、着用時の姿勢の安定性に欠けるため着用者にとって着用状態自体が煩わしいものになるという欠点がある。
【課題を解決するための手段】
【０００８】
上記課題を解決するための本考案フェイスシールドは、第１に着用者の顔面の目の高さ位置に沿う左右方向のフロントフレーム１ａの両端に突設されたテンプル１ｂに対して、左右両端を取付部３を介して着脱可能に取付けられ着用者の顔面を覆う弾力性を有する透明なプラスチック製シートよりなるシールド材４を備えたフェイスシールドであって、上記取付部３にテンプル１ｂ側とシールド材４側の対向面間に対向面を重ね合せることにより互に固着される固着部材８を介設し、シールド材４を着脱可能に構成したことを特徴としている。
【０００９】
第２に、固着部材８が一対のマグネット８ａ，８ｂ又はマグネット８）と磁性体を各対向面に取付け固着し、磁力により着脱可能に構成したことを特徴としている。
【００１０】
第３に、取付部３のテンプル１ｂ側とシールド材４側の対向面の少なくとも一方の面にマグネットを装着するとともに、磁力による吸着面をテンプル方向に沿った平面としてシールド材４の取付角度を調節可能に且つ当該角度を保持することを特徴としている。
【００１１】
第４に、取付部３にテンプル１ｂに着脱可能に取付ける取付ベース６を設け、該取付ベース６とシールド材４との対向面にそれぞれ固着部材８を装着してなることを特徴としている。
【００１２】
第５に、取付ベース６に伸縮可能な部材よりなり係止索７を上下方向に張設し、取付ベース６の側面と係止索７との間にテンプル１ｂを挿脱可能に挿入して取付ベース６をテンプル１ｂに取付けてなることを特徴としている。
【００１３】
第６に、取付ベース６の長手方向の両側端に係止爪５ａ又は係止溝５ｂからなる係止部５を設け、相対応する両側の係止部５間に係止索７を張設したことを特徴としている。
【００１４】
第７に、取付ベース６の長手方向端部にマグネット８ａを設け、長手方向の両側端に上下複数段の係止部５を設け、係止索７の係止位置を上下に選択変更可能に形成したことを特徴としている。
【００１５】
第８に、取付ベース６の側面に張設されテンプル１ｂを挿通する係止索７の通しループ７ｂが所定間隔を介して長手方向にクロスする方向に複数本張設されることを特徴としている。
【考案の効果】
【００１６】
以上のように構成される本考案のフェイスシールドによれば、テンプル側とシールド材側との取付部の間の対向面同士を重ね合せることにより固着するので、着脱が容易であるとともに、着脱面をテンプル方向に沿った平面に形成し、さらに磁石によって吸着させることにより、シールド材の着脱を迅速に行うことができてシールド材の取付の前後上下位置の調整及びシールド材の取付角度も自由に設定できる利点がある。そしてシールド材がプラスチックシート（フィルム）製なので汚れの洗浄や拭き取りによる除去が容易で、繰返し使用にも適している。
【００１７】
また取付ベースの側面に張設した伸縮可能な係止索を上下方向に張設し、ベース側面と係止索の間にテンプルを挿入して弾力的に保持するので、取付ベースが何らかの外力を受けてもその動きを係止索の弾力により吸収できる。
【００１８】
そして、取付ベースに係止部を多段に設けることにより、テンプルに対して前後複数本の係止索（複数の係止位置）で取付ベースを締付固定することが可能で、両者の取付固定が安定するほか、係止索の係止位置を変更することにより、テンプルに対する取付ベースの取付高さを変更調節できる利点がある。
【００１９】
その他取付ベースはシールド材をテンプルに取付固定するための最小限の厚みプレート状部材で足り、簡単な構造で且つ軽量化及び低コスト化が実現できる。
【図面の簡単な説明】
【００２０】
【図１】本考案のフェイスシールドの着用状態を示す側面図である。
【図２】同じくフェイスシールドの着用状態を示す正面図である。
【図３】フェイスシールドを眼鏡のテンプルに取付ける取付部の拡大平面図である。
【図４】シールド材の展開正面図である。
【図５】取付ベースにテンプルを取付ける係止索の正面図である。
【図６】（Ａ）は取付部を眼鏡のテンプルに挿入した状態の側面図、（Ｂ）はテンプルを挿入する前の取付部の正面図である。
【図７】（Ａ），（Ｂ）はそれぞれ細径のテンプルに対して取付けられる取付部の取付方法を示す側面図と正面図である。
【考案を実施するための形態】
【００２１】
図面は本考案の１実施形態を示し、図１，図２は眼鏡１を装着した着用者がフェイスシールド２を着用した状態の側面図と正面図で、図示するように眼鏡１の正面側のフロントフレーム１ａの左右両端に後向きに突設したテンプル１ｂに、取付部３を介してフェイスシールド２が着脱可能に取付けられる。
【００２２】
テンプル１ｂは必ずしも眼鏡フレーム用のテンプルに限られず、例えば、レンズを取付けない左右方向のフロントフレームにブリッジや鼻パッドのみを設けたフェイスシールド専用の眼鏡フレーム状のフレームに対して使用することも可能である。
【００２３】
フェイスシールド２は、図１〜図４に示すように人の顔面（図示する例では鼻と口の正面側）を覆う透明なプラスチックフィルムからなる弾力的に湾曲可能なシールド材４の左右両側に、テンプル１ｂへの取付端となるアーム部４ａが後向きに折曲げ又は湾曲可能に突設されており、該アーム部４ａの先端が取付部３を介してテンプル１ｂに折曲げ状態で着脱可能に取付けられる。尚、シールド材４は着用者の顔全体をカバーするサイズ及び形状にすることが可能である。
【００２４】
取付部３は一定の弾力性を備えた透明なプラスチック製でプレート状の取付ベース６と、該取付ベース６の側面に沿って上下方向に外装又は係止して上下方向に張設される係止索７と、上記取付ベース６の端部と前記シールド材４のアーム部４ａの突出端との対向面に接着等によって取付けられる固着部材８（８ａ，８ｂ）とで構成されている。
【００２５】
この例では固着部材８は一方が金属製のマグネットで、他方がゴム又はプラスチック製のマグネットシートからなる一対のマグネット８ａ，８ｂとによって構成されているが、両方を同質のマグネット材とすること又は一方を鉄等の磁性体とすることもできるほか、両方を薄手のベルベットファスナーにすることも可能である。またテンプル１ｂが図１，図６（Ａ）に示すように上下方向に幅広の場合は、いずれか一方の固着部材８ａ，８ｂをテンプル１ｂの外側面に直接取付けて、固着部材８ａ，８ｂ自体を取付部３としてもよい。
【００２６】
係止索７は図５に示すように伸縮可能なリング状又はループ状のゴム紐，プラスチック紐，細径のコイルスプリング等からなり、本例ではゴム紐の両端を止め具７ａで連結固定してリング状に形成したものが使用されている。
【００２７】
取付ベース６は図６，図７に示すように縦長のプレートの山形の下端の外側面にボタン型の固着部材（マグネット）８ａが外向きに固着されており、その上方の前後両辺には多数段の舌状の係止爪５ａと、各係止爪５ａの両側に左右方向に切込まれた係止溝５ｂとが外向きに形成されて係止索７を係止する係止部５を形成している。
【００２８】
また固着部材８ａの上方には、係止索７を挿通する通し孔６ａが必要に応じて左右に振分けて穿設されており、通し孔６ａに係止索７を通す場合は挿通後にリングを形成する。
【００２９】
上記のように構成される取付ベース６に対して、係止索７は図６，図７に示すように通し孔６ａにループ側中心を挿通し、上方において前後の相対応する係止溝５ｂを選んで対応する係止爪５ａに係止することにより、その背面側（着用者の顔面側）に上下方向の通しループ７ｂを前後２本形成するように取付ベース６の側面に沿って張設される。この状態で前後２本の通しループ７ｂに対し、図３，図６（Ａ）に示すように前方からテンプル１ｂの後端を挿通することにより、取付ベース６はテンプル１ｂ側に係止索７の弾力によって弾力的に取付けられ、前後２本の通しループ７ｂにより安定的に固定支持される。
【００３０】
また図７（Ａ），（Ｂ）に示すようにテンプル１ｂの断面が細い場合は、係止する係止爪５ａの上下選択により通しループ７ｂの上下長さを短く形成することにより安定固定を確保することができるほか、係止索７を係止する係止爪５ａ又は係止溝５ｂの上下位置を選択することにより、取付ベース６の取付高さを調整することも可能である。
【００３１】
その他、この例では、張設時のリング状の係止索７が上下左右に一対のループを形成するので、図示するように取付ベース６をテンプル１ｂに対し上下方向に取付ける以外に、取付ベース６を前後方向に向け、固着部材（マグネット）８ａを後端側に向けて取付ベース６を前後長手方向に取付けることも可能であり、この場合は係止爪５ａと係止溝５ｂが、取付ベース６の上下両側端に突設又は凹設された状態となる。
【符号の説明】
【００３２】
１      眼鏡
１ａ    フロントフレーム
１ｂ    テンプル
３      取付部
４      シールド材
４ａ    アーム部
５      係止部
５ａ    係止爪
５ｂ    係止溝
６      取付ベース
７      係止索
７ｂ    通しループ
８      固着部材
８ａ，８ｂ    マグネット８（固着部材）
【図１】
0003231620.tif 000003
【図２】
0003231620.tif 000004
【図３】
0003231620.tif 000005
【図４】
0003231620.tif 000006
【図５】
0003231620.tif 000007
【図６】
0003231620.tif 000008
【図７】
0003231620.tif 000009
【手続補正書】
【提出日】令和3年1月26日(2021.1.26)
【手続補正１】
【補正対象書類名】実用新案登録請求の範囲
【補正対象項目名】全文
【補正方法】変更
【補正の内容】
【実用新案登録請求の範囲】
【請求項１】
着用者の顔面の目の高さ位置に沿う左右方向のフロントフレーム（１ａ）の両端に突設されたテンプル（１ｂ）に対して、左右両端を取付部（３）を介して着脱可能に取付けられ着用者の顔面を覆う弾力性を有する透明なプラスチック製シートよりなるシールド材（４）を備えたフェイスシールドであって、上記取付部（３）にテンプル（１ｂ）側とシールド材（４）側の対向面間に対向面を重ね合せることにより互に固着される固着部材（８）を介設し、シールド材（４）を着脱可能に構成したフェイスシールド。
【請求項２】
固着部材（８）が一対のマグネット（８ａ），（８ｂ）又はマグネット（８ａ）と磁性体を各対向面に取付け固着し、磁力により着脱可能に構成した請求項１に記載のフェイスシールド。
【請求項３】
取付部（３）のテンプル（１ｂ）側とシールド材（４）側の対向面の少なくとも一方の面にマグネットを装着するとともに、磁力による吸着面をテンプル方向に沿った平面としてシールド材（４）の取付角度を調節可能に且つ当該角度を保持する請求項２に記載のフェイスシールド。
【請求項４】
取付部（３）にテンプル（１ｂ）に着脱可能に取付ける取付ベース（６）を設け、該取付ベース（６）とシールド材（４）との対向面にそれぞれ固着部材（８）を装着してなる請求項１〜３のいずれかに記載のフェイスシールド。
【請求項５】
取付ベース（６）に伸縮可能な部材よりなり係止索（７）を上下方向に張設し、取付ベース（６）の側面と係止索（７）との間にテンプル（１ｂ）を挿脱可能に挿入して取付ベース（６）をテンプル（１ｂ）に取付けてなる請求項４に記載のフェイスシールド。
【請求項６】
取付ベース（６）の長手方向の両側端に係止爪（５ａ）又は係止溝（５ｂ）からなる係止部（５）を設け、相対応する両側の係止部（５）間に係止索（７）を張設した請求項５に記載のフェイスシールド。
【請求項７】
取付ベース（６）の長手方向端部にマグネット（８ａ）を設け、長手方向の両側端に上下複数段の係止部（５）を設け、係止索（７）の係止位置を上下に選択変更可能に形成した請求項５又は６に記載のフェイスシールド。
【請求項８】
取付ベース（６）の側面に張設されテンプル（１ｂ）を挿通する係止索（７）の通しループ（７ｂ）が所定間隔を介して長手方向にクロスする方向に複数本張設される請求項５〜７のいずれかに記載のフェイスシールド。